(57)【要約】筒状編地同士の接合部を強化するための編成方法、および、この編成方法により編成された編地を提供する。編糸交差工程と、ニット編成工程と、交絡工程を実施する。編糸交差工程では、前後の針床に交互に掛け目とタック目を形成すると共に、掛け目とタック目に繋がり前後の針床間を渡る編糸（渡り編糸部１）と筒状編地を構成する一部の編糸（交差編糸部２）とを交差させる。ニット編成工程では、前記掛け目にニット編成を行って、当該掛け目に連続する新規編目３を形成する。交絡工程では、新規編目３とこの新規編目３に対向する針床に係止される対向編目４のいずれか一方を対向する針床に目移しすることで、渡り編糸部１と交差編糸部２とを絡ませる。
2010016205.tif 000002
【特許請求の範囲】
【請求項１】
少なくとも前後一対の針床を有し、前後の針床間で編目の目移しが可能な横編機を使用して、２つの筒状編地を接合する際、当該接合部を強化するための筒状編地の編成方法であって、
接合する２つの筒状編地にまたがるように、前後の針床に交互に編糸を掛けて、前後一方の針床の空針に掛け目を、他方の針床において筒状編地を構成する編目が係止される編針の一部にタック目を形成すると共に、前記掛け目とタック目とを繋ぎ、前後の針床間を渡る編糸と、筒状編地を構成する一部の編糸とのうち、一方の編糸が下側編糸、他方の編糸が上側編糸となるように交差させる編糸交差工程と、
前記掛け目にニット編成を行って、当該掛け目に連続する新規編目を形成するニット編成工程と、
前記新規編目とこの新規編目に対向する針床の編針に係止される対向編目のいずれか一方の編目を他方の編目に重ね合わせるように目移しすることで、前記下側編糸で前記上側編糸を上下に挟み、下側編糸と上側編糸とを絡ませる交絡工程と、
を備えることを特徴とする筒状編地の編成方法。
【請求項２】
前記編糸交差工程、ニット編成工程、及び交絡工程の一連の工程を実施した後、さらに、これらの工程で使用した編針の針床に関し、前後を入れ替えてもう一度前記一連の工程を実施することを特徴とする請求項１に記載の筒状編地の編成方法。
【請求項３】
前記編糸交差工程において、前後の針床の編針に編糸を掛ける前に、既に針床の編針に係止されている筒状編地を構成する編目列の一部の編目を、これらの編目に対向する針床の空針に目移しし、
この目移しにより空針となった編針に対して前記掛け目の形成を行うことを特徴とする請求項１または２に記載の筒状編地の編成方法。
【請求項４】
少なくとも前後一対の針床を有し、前後の針床間で編目の目移しが可能な横編機を用いて編成され、筒状編地同士を接合した接合部を有する筒状編地であって、
前記接合部において、対向する前後の編地部間を渡る複数の渡り編糸部を備え、
少なくとも一部の渡り編糸部と、筒状編地を構成する編糸部とが互いに掛け合うように絡んでおり、
渡り編糸部に繋がる２つの編目の位置がウェール方向にズレていることを特徴とする筒状編地。
【発明の詳細な説明】
【技術分野】
【０００１】
本発明は、２つの筒状編地を接合する際に、接合部を強化するための筒状編地の編成方法、および、筒状編地同士の接合部を強化した筒状編地に関するものである。
【背景技術】
【０００２】
横編機を用いてセーターなどの筒状編地を編成するにあたり、身頃と袖とを接合しつつ、接合部を強化するための編成が行われている（例えば、特許文献１を参照）。この特許文献１では、対向する身頃の側端と袖の側端とを袋編みにより接合している。このようにして編成された筒状編地では、例えば、身頃と袖とを互いに離れる方向に引っ張ったときに、袋編みされた部分が主として張力を受けると共に、当該部分の編目が縮まって身頃と袖とに編糸を繰り出すことで、身頃と袖との接合部を維持する。
【先行技術文献】
【特許文献】
【０００３】
【特許文献１】特許第３９６８０１７号公報
【発明の概要】
【発明が解決しようとする課題】
【０００４】
しかし、近年のニーズの多様化により、編地の見た目を重視して、編針に対して適正番手以外となる細い編糸や弱い編糸などを使用することがあり、その場合には接合部を強化する必要がある。ここで、上述した特許文献１の編成方法は、袋編みの回数を増やすことにより強化の度合いを高めることができる一方で、袋編みの回数分だけ横編機のキャリッジの往復動作が増えてしまう。これに対し、接合部を縫製により補強する場合もあるが、その縫製作業の工程が増えてしまう。【０００５】
本発明は上記事情に鑑みてなされたものであり、単純な編成動作で筒状編地同士の接合部を強化するための編成方法、および、この編成方法により編成された編地を提供することを目的とする。
【課題を解決するための手段】
【０００６】
本発明の筒状編地の編成方法は、少なくとも前後一対の針床を有し、前後の針床間で編目の目移しが可能な横編機を使用して、２つの筒状編地を接合する際、当該接合部を強化するための編成方法であって、以下の工程を備えることを特徴とする。
接合する２つの筒状編地にまたがるように、前後の針床に交互に編糸を掛けて、前後一方の針床の空針に掛け目を、他方の針床において筒状編地を構成する編目が係止される編針の一部にタック目を形成すると共に、前記掛け目とタック目とを繋ぎ、前後の針床間を渡る編糸と、筒状編地を構成する一部の編糸とのうち、一方の編糸が下側編糸、他方の編糸が上側編糸となるように交差させる編糸交差工程。
前記掛け目にニット編成を行って、当該掛け目に連続する新規編目を形成するニット編成工程。
前記新規編目とこの新規編目に対向する針床の編針に係止される対向編目のいずれか一方の編目を他方の編目に重ね合わせるように目移しすることで、前記下側編糸で前記上側編糸を上下に挟み、下側編糸と上側編糸とを絡ませる交絡工程。【０００７】
また、本発明の筒状編地の編成方法は、前記編糸交差工程、ニット編成工程、及び交絡工程の一連の工程を実施した後、さらに、これらの工程で使用した編針の針床に関し、前後を入れ替えてもう一度前記一連の工程を実施することも好ましい。【０００８】
また、本発明の筒状編地の編成方法は、編糸交差工程において、前後の針床の編針に編糸を掛ける前に、既に針床の編針に係止される筒状編地を構成する編目列の一部の編目を、これらの編目に対向する針床の空針に目移ししておくことが好ましい。この場合、目移しにより空針となった編針に対して掛け目の形成を行えば良い。【０００９】
本発明の筒状編地は、少なくとも前後一対の針床を有し、前後の針床間で編目の目移しが可能な横編機を用いて編成され、筒状編地同士を接合した接合部を有する筒状編地に係る。この筒状編地は、前記接合部において、対向する前後の編地部間を渡る複数の渡り編糸部を備える。そして、少なくとも一部の渡り編糸部と、筒状編地を構成する編糸部とが互いに掛け合うように絡んでおり、渡り編糸部に繋がる２つの編目の位置がウェール方向にズレていることを特徴とする。
【発明の効果】
【００１０】
本発明の筒状編地の編成方法によれば、２つの筒状編地の接合部において対向する前後の編地部間を渡る複数の渡り編糸部を備える本発明の筒状編地を編成できる。この渡り編糸部は、前後の編地部間を渡るにあたり、筒状編地を構成する編糸の一部分である編糸部に絡んでいる。そのため、接合部に張力が作用した際、引っ張られる方向に対して編糸同士が絡んでいるポイントが可動して張力を平準化し、接合部全体に張力を分担させることができる。また、本発明の編成方法により編成された筒状編地では、渡り編糸部に繋がる２つの編目の位置が互いにウェール方向にズレているので、渡り編糸部を介して接合部に作用する張力をウェール方向の異なる部分に分散させることができる。そのため、本発明の筒状編地では、引っ張られたときに、接合部の特定の箇所に張力が集中することがなく、接合部の強度の向上を図れる。【００１１】
また、本発明の編成方法を実施した後、編成で使用した編針の針床に関し前後を入れ替えて本発明の編成方法をもう一度実施することで、筒状編地の前後の編地部に対称に強化された部分が形成される。対称に形成された強化部は、見た目のバランスが良いし、接合部に作用する張力を前後の編地部にほぼ均等に分散させて、接合部の強度を向上させる。【００１２】
さらに、編糸交差工程において、前後の針床に編糸を掛ける前に、既に係止される編目を予め目移しすることで、後述する実施例１に示すように、接合部の編目の状態をシンプルにできるので、接合部が厚くならない。
【図面の簡単な説明】
【００１３】
【図１】実施例１に記載される筒状編地の接合部を強化するための編成方法を経時的に説明する編成工程図である。
【図２】図１に引き続く実施例１の編成工程図である。
【図３】実施例２に記載される筒状編地の接合部を強化するための編成方法を経時的に説明する編成工程図である。
【図４】図３に引き続く実施例２の編成工程図である。
【発明を実施するための形態】
【００１４】
以下、セーターの身頃と袖とを接合する場合を例にして本発明の実施例１、２を説明する。両実施例はいずれも、左右方向に延び、かつ、前後方向に互いに対向する前後二対の針床を有し、前後の針床間で編目の目移しが可能な４枚ベッドの横編機を用いて説明する。以降、この横編機に備わる下部前針床をＦＤ、下部後針床をＢＤ、上部前針床をＦＵ、上部後針床をＢＵという。
【実施例１】
【００１５】
上述した横編機を使用した筒状編地の接合部を強化するための編成方法の一例を、身頃と袖の接合に関し、図１、図２の編成工程図に基づいて説明する。図１、図２中の小文字アルファベットで特定される編針ａ〜ｄに係止される編目は身頃の編目の一部であり、編針ｅ〜ｈに係止される編目は袖の編目の一部である。なお、図１、図２では、説明の便宜上、編針の数を実際の編成に使用する数よりも少なくしている。【００１６】
図１（Ａ）では、身頃と袖の隣り合う側端の編目であるＢＤの編針ｄとｅ、ＦＤの編針ｄとｅに係止する編目同士を袖全体を目移しして重ね合わせた状態でニット編成を行い、一つの筒にした直後の状態を示す。そして、この状態から、図１（Ａ）中の細線矢印に示すように、ＢＤの編針ｃ，ｅ，ｇに係止される編目を、対向するＦＵの編針ｃ，ｅ，ｇに目移しする。【００１７】
次いで、給糸部材を左方向に移動させて、図１（Ａ）に示す目移しにより空針となったＢＤの編針ｃ，ｅ，ｇに掛け目を形成すると共に、身頃と袖を形成する編目が係止されるＦＤの編針ｂ，ｄ，ｆにタック目を形成する（図１（Ｂ）参照）。ＢＤの掛け目とＦＤのタック目は、リブ状に交互に形成され、その際、タック目と掛け目との間を繋ぎ、ＢＤとＦＤとの間を渡る渡り編糸部１が、身頃と袖を接合した後の筒の一部分である編糸部（交差編糸部２）に交差する（図１（Ｂ）のＷで示す部分を参照）。この場合、渡り編糸部１が鉛直方向の上方側にある上側編糸、交差編糸部２が渡り編糸部１の下側にある下側編糸になる。【００１８】
さらに、給糸部材を右方向に移動させて、図１（Ｂ）でＢＤの編針ｃ，ｅ，ｇに係止される掛け目に対してニット編成して編目３（新規編目）を形成すると共に、ＢＤの編針ｈに係止される編目にタック目を形成し、渡り編糸部１がズレないようにしている（図１（Ｃ）参照）。上記編目３が係止されるＢＤに対向するＦＵには、図１（Ａ）でＢＤからＦＵに目移しされた編目である編目４（対向編目）が係止されている。【００１９】
最後に、図２（Ｄ）に示すように、ＦＵの編針ｃ，ｅ，ｇに預けておいた編目４を対向するＢＤの編針ｃ，ｅ，ｇに返し、図２（Ｅ）の状態とする。このＢＤの編針ｃ，ｅ，ｇには、図１（Ｃ）で形成した編目３が係止されているので、ＦＵに預けておいた各編目４は、対向する針床にある編目３に重ねられる。【００２０】
ＦＵに預けておいた編目４をＢＤの編針ｃ，ｅ，ｇに目移しすることで、交差編糸部２（下側編糸）が渡り編糸部１（上側編糸）を上下から挟むので、図１（Ｂ）において単に交差するだけであった渡り編糸部１と交差編糸部２とが絡み合う（図２（Ｅ）のＸで示す部分を参照）。【００２１】
以上のようにして編成された身頃と袖の接合部では、前側編地部（ＦＤの編針に係止される部分）と後側編地部（ＢＤの編針に係止される部分）との間にジグザグに渡り編糸部１が渡っており、この渡り編糸部１と交差編糸部２とが互いに掛け合うように絡み合っている。この渡り編糸部１と交差編糸部２とが絡み合う配置状態により、出来上がった筒状編地を引っ張ったときに、絡み合っているポイントが可動することで、接合部に作用する張力を前後だけでなく斜め方向など、接合部全体で受けることができる。【００２２】
また、渡り編糸部１に繋がる前側編地部の編目１０と後側編地部の編目２０とは、図１（Ｃ）で行ったニット編成でウェール方向に編目が一つ追加されることにより、筒状編地におけるウェール方向の互いの位置が１つズレている。そのため、接合部に作用する張力が筒状編地におけるウェール方向の同じ高さの部分にかかるのではなく、異なる高さの部分に分散するので、局所的に大きな張力が作用することなく、編糸に過大な負担がかかることもない。【００２３】
図１および図２を使用して説明した編成を実施した後、編成で使用した編針に関し、針床の前後を対称に入れ替えただけの状態で編成を続けて行っても良い。この場合、まず、図１（Ａ）に示す編成とは前後反対になるように、ＦＤの編針ｃ，ｅ，ｇの編目を対向するＢＵの編針ｃ，ｅ，ｇに目移しする。以降は、図１（Ｂ）、図１（Ｃ）、図２（Ｄ）、図２（Ｅ）に示す編成と前後反対の編針を使用して編成することで、前後の編地部に対称に強化された部分が形成される。このような編成を行うと、筒状編地の接合部における見た目のバランスも良いし、接合部に作用する張力も前後の編地部にほぼ均等に分散されるので好ましい。
【実施例２】
【００２４】
実施例２では、渡り編糸部１と交差編糸部２とが絡み合う配置状態が、実施例１とは異なる編成方法の一例を図３、図４の編成工程図に基づいて説明する。なお、図３、図４の見方は、図１、図２と同様である。【００２５】
まず、図３（Ａ）では、図１（Ａ）と同じ１つの筒にした状態から、給糸部材を左方向に移動させて、ＦＵの編針ｂ，ｄ，ｆに掛け目を形成すると共に、ＢＤの編針ｃ，ｅ，ｇにタック目を形成する。これらの編目は、リブ状に交互に形成されており、その結果、前後の針床間に渡る渡り編糸部１が形成される。【００２６】
次いで、給糸部材を右方向に移動させて、身頃と袖の編目であるＦＤの編針ｃ，ｅ，ｇに係止される編目に対してニット編成を行う（図３（Ｂ）参照）。このニット編成により、前後の編地間を渡る渡り編糸部１が、身頃と袖を接合した後の筒の一部分である編糸部（交差編糸部２）に交差する（図３（Ｂ）のＹで示す部分を参照）。この場合、渡り編糸部１が下側編糸、交差編糸部２が上側編糸となる。【００２７】
さらに、図３（Ｃ）に示すように、給糸部材を左方向に移動させて、ＦＵの編針ｂ，ｄ，ｆに形成した掛け目に対してニット編成をし、その掛け目のウェール方向に連続する編目３（新規編目）を形成する。【００２８】
最後に、図４（Ｄ）に示すように、図３（Ｃ）でＦＵの編針ｂ，ｄ，ｆに形成した編目３を、対向するＢＤの編針ｂ，ｄ，ｆに係止される編目４（対向編目）に重ね合わせるように目移しし、図４（Ｅ）の状態にする。これら一連の編成により、前後の編地部間を渡り編糸部１が渡ると共に、渡り編糸部１と交差編糸部２とが互いに掛け合うように絡み合うので（図４（Ｅ）のＺで示す部分を参照）、実施例１と同様に身頃と袖の接合部が強化される。また、本例の場合も、渡り編糸部１に繋がる編目１０と編目２０とは、筒状編地におけるウェール方向の互いの位置が１つズレているので、接合部に作用する張力を筒状編地の異なる高さの部分に分散させることができる。【００２９】
さらに実施例２においても、図３、図４で示した編成を実施した後、編成で使用した編針に関し、針床の前後を対称に入れ替えただけの状態で編成を続けることで、身頃と袖の接合部における見た目のバランスが良くなるし、接合部に作用する張力を前後の編地部にほぼ均等に分散させることができる。【００３０】
その他、実施例１、２では、図１（Ａ）や図３（Ａ）に示すように、身頃と袖とを接合して一つの筒状にした後、本発明の編成方法を実施することにより接合部を強化した。これに対して、図示はしていないが身頃の側端の編目と袖の側端の編目とを重ね合わせただけの状態で、あるいは、単に身頃の側端と袖の側端を隣接させた状態で、本発明の編成方法を使用することもできる。これらの場合、身頃と袖の接合と同時に、接合部の強化も行うことができる。【００３１】
なお、本発明は、上述した実施例に限定されるわけではなく、本発明の要旨を逸脱しない範囲において適宜変更可能である。例えば、２枚ベッド横編機で実施例に示す編成を実施しても良い。その場合、目移しなどを行うことができるように、一方の針床において編目が係止される編針に対向する他方の針床の編針を空針とすれば良い。その他、編糸交差工程で形成するタック目または掛け目は、一針ごとではなく複数針ごとに形成しても良い。
【符号の説明】
【００３２】
１  渡り編糸部  ２  交差編糸部
３  編目（新規編目）  ４  編目（対向編目）
１０，２０  渡り編糸部に繋がる編目
【図１】
2010016205.tif 000003
【図２】
2010016205.tif 000004
【図３】
2010016205.tif 000005
【図４】
2010016205.tif 000006
【国際調査報告】
2010016205.tif 000007
2010016205.tif 000008
2010016205.tif 000009
2010016205.tif 000010